(57)【要約】【課題】通水管の引き出し作業を安定して行うことができる、通水管の梱包装置を提供する。【解決手段】梱包装置２は、段ボール箱体３と回動部材５と軸部材６とからなる。段ボール箱体３は、通水管１の管束１ａを収容し、通水管１を外に引き出すための引出部３ｃを備えている。回動部材５は、段ボール箱体３に収容されて、管束１ａを支える。軸部材６は、段ボール箱体３における、管束１ａの各側面１ｂと対向する側壁３ｆ、３ｆに、渡されるようにして取り付けられる。そして、軸部材６は、回動部材５が管束１ａとともにその管束１ａの周方向に回動可能となるよう支持する。ここで、軸部材６は、各側壁３ｆに明けられた貫通孔３ｐおよび回動部材５に明けられた軸孔５ｆに挿通される軸本体６ａと、その軸本体６ａの両端部分に設けられて側壁３ｆの外面と対向する鍔部６ｂとを有する。【選択図】  図４
2004217279.tif 000002
【特許請求の範囲】
【請求項１】
周回状に巻回された架橋ポリエチレン等の合成樹脂材料からなる通水管の管束を梱包する梱包装置であって、
前記管束を収容するとともに、前記通水管をその端部から順に外に引き出すための引出部が備わる、段ボール箱体と、
前記段ボール箱体に収容されて、前記管束を支える回動部材と、
前記段ボール箱体における、前記管束の各側面と対向する側壁に、渡されるようにして取り付けられて、前記回動部材が前記管束とともにその管束の周方向に回動可能となるよう支持する軸部材とを備え、
前記軸部材は、前記各側壁に明けられた貫通孔および前記回動部材に明けられた軸孔に挿通される軸本体と、その軸本体の両端部分に設けられて前記側壁の外面と対向する鍔部とを有し、
前記軸本体は、前記両鍔部が離間しないように、それら鍔部を保持することを特徴とする、通水管の梱包装置。
【請求項２】
前記軸部材は、前記側壁に、固定されることなく取り付けられることを特徴とする請求項１に記載の、通水管の梱包装置。
【請求項３】
前記軸本体は、前記貫通孔および前記軸孔に、当接するようにして挿通される管材を有することを特徴とする請求項１または２に記載の、通水管の梱包装置。
【請求項４】
前記軸部材は、前記鍔部が備わる板状の鍔材を有し、
その鍔材が、前記管材に固着していることを特徴とする請求項３に記載の、通水管の梱包装置。
【請求項５】
前記回動部材は、前記各側壁に隣接するとともに前記軸孔が明けられた側板部を備え、
前記管材は、一方側の前記貫通孔および前記軸孔に挿通される第１の管材と、他方側の前記貫通孔および前記軸孔に挿通される第２の管材とからなり、
前記軸部材は、一方側の前記鍔材と前記第１の管材とが固着した第１の分割体と、他方側の前記鍔材と前記第２の管材とが固着した第２の分割体とを有して、それら分割体が互いに接続されてなることを特徴とする請求項４に記載の、通水管の梱包装置。
【請求項６】
前記第１の分割体は、前記第１の管材に嵌められて固定された連設部を有し、その連設部が前記第２の管材に嵌められることを特徴とする請求項５に記載の、通水管の梱包装置。
【請求項７】
前記第１の分割体と前記第２の分割体とは、前記第１の分割体における前記連設部の端面に、前記第２の分割体における前記鍔材の裏面が接着されることで接続されることを特徴とする請求項６に記載の、通水管の梱包装置。
【請求項８】
前記連設部は、平板状の複数の板部材からなり、
前記板部材には、その縁部から切り込まれたスリットが設けられ、それら板部材は、互いの前記スリット部分での嵌め合いにより掛かり合って組み付けられ、前記スリットの方向が、前記第１および第２の管材の軸心方向と一致する向きで、前記連設部は、前記第１および第２の管材に嵌められることを特徴とする請求項６または７に記載の、通水管の梱包装置。
【請求項９】
前記第１の分割体と前記第２の分割体とは、ネジ部材によって接続されることを特徴とする請求項５に記載の、通水管の梱包装置。
【請求項１０】
前記第１の管材と前記第２の管材とは、その対向する端面が近接あるいは当接して設けられることを特徴とする請求項５ないし９のいずれか１項に記載の、通水管の梱包装置。
【請求項１１】
前記軸部材は、紙製であることを特徴とする請求項１ないし１０のいずれか１項に記載の、通水管の梱包装置。
【請求項１２】
前記回動部材は、紙製であることを特徴とする請求項１ないし１１のいずれか１項に記載の、通水管の梱包装置。
【発明の詳細な説明】
【０００１】
【発明の属する技術分野】
この発明は、合成樹脂製の通水管を梱包する、通水管の梱包装置に関するものである。
【０００２】
【従来の技術】
従来、例えば、架橋ポリエチレン製等の合成樹脂製の可撓性を備えた通水管は、数十ｍ単位の長尺体が巻回された状態で、樹脂バンドにより固定され、段ボール箱内に収容されていた。このように段ボール箱内に収容された通水管は、施工現場等において、巻回状態のまま段ボール箱内から取り出された。そして、この通水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
【発明が解決しようとする課題】
ところで、前記従来の巻回状態の通水管にあっては、巻き癖が強く、巻回状態の通水管を、回転させずにそのまま引き出すと、前記巻き癖と引き出された通水管の捩れにより、この通水管を鞘管内に挿通することが困難であった。
【０００４】
そこで、例えば、複数人の作業者により、一人が巻回状態の通水管を回動可能に保持し、もう一人が通水管を先端側から順次引き出して鞘管内に挿通することで、その通水管を配管するようにしていた。また、別途、回転ドラムを用意し、段ボール箱内から取り出した巻回状態の通水管を、回転ドラムに装着し、その回転ドラムにより、巻回状態の通水管を回転させるようにして、通水管を先端側から引き出すこともあった。
【０００５】
しかし、上記のいずれの引き出し方法も、複数人の作業者を必要としたり、回転ドラムを用意する必要があったりして、面倒で作業性が悪かった。
【０００６】
この発明は、上記した従来の問題点を解決するためになされたものであり、その目的とするところは、通水管の引き出し作業を簡単に行うことができる、通水管の梱包装置であって、特に、通水管の引き出し作業を安定して行うことができる、通水管の梱包装置を提供することにある。
【０００７】
【課題を解決するための手段】
この発明に係る通水管の梱包装置は、前記目的を達成するために、次の構成からなる。すなわち、
請求項１に記載の発明に係る通水管の梱包装置は、周回状に巻回された架橋ポリエチレン等の合成樹脂材料からなる通水管の管束を梱包する梱包装置である。この梱包装置は、前記管束を収容するとともに、前記通水管をその端部から順に外に引き出すための引出部が備わる、段ボール箱体と、前記段ボール箱体に収容されて、前記管束を支える回動部材と、前記段ボール箱体における、前記管束の各側面と対向する側壁に、渡されるようにして取り付けられて、前記回動部材が前記管束とともにその管束の周方向に回動可能となるよう支持する軸部材とを備える。ここで、前記軸部材は、前記各側壁に明けられた貫通孔および前記回動部材に明けられた軸孔に挿通される軸本体と、その軸本体の両端部分に設けられて前記側壁の外面と対向する鍔部とを有する。そして、前記軸本体は、前記両鍔部が離間しないように、それら鍔部を保持する。
【０００８】
このように、この梱包装置は、段ボール箱体を備えている。そして、この段ボール箱体には、周回状に巻回された架橋ポリエチレン等の合成樹脂材料からなる通水管の管束と、その管束を支える回動部材が収容される。そして、軸部材が、段ボール箱体における、管束の各側面と対向する側壁に、渡されるようにして取り付けられる。この軸部材は、回動部材が前記管束とともにその管束の周方向に回動可能となるよう支持するものであり、こうして、段ボール箱体に収容された管束は、その管束の周方向に回動可能となる。ところで、管束となった通水管は、段ボール箱体に収容されて、保管されたり運搬されたりする。そして、通水管を配管する場合には、段ボール箱体内の通水管を、その端部から順に、段ボール箱体に備わる引出部を通して、外に引き出すが、この引き出しに伴って、段ボール箱体内の管束が解かれるようにして回動する。ここで、軸部材は、その軸本体が、側壁の外面と対向する両鍔部が離間しないように、それら鍔部を保持している。こうして、離間することのない両鍔部が、段ボール箱体の側壁を挟むこととなり、通水管を引き出す力とか管束の自重等が、段ボール箱体に作用した場合であっても、側壁間が広がって段ボール箱体が変形するのを防止することができる。
【０００９】
また、請求項２に記載の発明に係る通水管の梱包装置のように、請求項１に記載の梱包装置において、前記軸部材は、前記側壁に、固定されることなく取り付けられてもよい。これにより、段ボール箱体から通水管を全て引き出した後、この梱包装置を廃棄する等の場合に、段ボール箱体から軸部材を取り除くことが容易になる。
【００１０】
また、請求項３に記載の発明に係る通水管の梱包装置のように、請求項１または２に記載の梱包装置において、前記軸本体は、前記貫通孔および前記軸孔に、当接するようにして挿通される管材を有してもよい。このように、軸本体における管材が、段ボール箱体の貫通孔および回動部材の軸孔に、当接するように挿通されることで、回動部材は、円滑に回動する。
【００１１】
また、請求項４に記載の発明に係る通水管の梱包装置のように、請求項３に記載の梱包装置において、前記軸部材は、前記鍔部が備わる板状の鍔材を有し、その鍔材が、前記管材に固着していてもよい。
【００１２】
また、請求項５に記載の発明に係る通水管の梱包装置のように、請求項４に記載の梱包装置において、前記回動部材は、前記各側壁に隣接するとともに前記軸孔が明けられた側板部を備え、前記管材は、一方側の前記貫通孔および前記軸孔に挿通される第１の管材と、他方側の前記貫通孔および前記軸孔に挿通される第２の管材とからなってもよい。ここで、前記軸部材は、一方側の前記鍔材と前記第１の管材とが固着した第１の分割体と、他方側の前記鍔材と前記第２の管材とが固着した第２の分割体とを有して、それら分割体が互いに接続されてなる。これにより、軸部材を、段ボール箱体の側壁に取り付けるには、第１の分割体における第１の管材と第２の分割体における第２の管材とを、それぞれの側の貫通孔および軸孔に挿通し、そして、それら第１の分割体と第２の分割体を接続する。
【００１３】
また、請求項６に記載の発明に係る通水管の梱包装置のように、請求項５に記載の梱包装置において、前記第１の分割体は、前記第１の管材に嵌められて固定された連設部を有し、その連設部が前記第２の管材に嵌められてもよい。このように、第１の分割体の連設部が、第２の分割体における第２の管材に嵌められて、これら第１の分割体と第２の分割体とが互いに接続される。このとき、連設部が第２の管材に嵌められることで、第１の分割体と第２の分割体とは、互いに位置決めされる。
【００１４】
また、請求項７に記載の発明に係る通水管の梱包装置のように、請求項６に記載の梱包装置において、前記第１の分割体と前記第２の分割体とは、前記第１の分割体における前記連設部の端面に、前記第２の分割体における前記鍔材の裏面が接着されることで接続されてもよい。これにより、第２の分割体において、鍔材を、管材の内径部分で切断することで、この軸部材は、第１の分割体側と、第２の分割体側とに分離される。こうして、段ボール箱体から通水管を全て引き出した後、この梱包装置を廃棄する等の場合に、段ボール箱体から軸部材を取り除くことが簡単となる。
【００１５】
また、請求項８に記載の発明に係る通水管の梱包装置は、請求項６または７に記載の梱包装置において、前記連設部は、平板状の複数の板部材からなってもよい。ここで、前記板部材には、その縁部から切り込まれたスリットが設けられ、それら板部材は、互いの前記スリット部分での嵌め合いにより掛かり合って組み付けられ、前記スリットの方向が、前記第１および第２の管材の軸心方向と一致する向きで、前記連設部は、前記第１および第２の管材に嵌められる。こうして、複数の板部材は、それら板部材に設けられたスリット部分での嵌め合いにより掛かり合うことで、確実に組み付けられる。そして、この梱包装置を使用後に廃棄する等の場合には、軸本体において、連設部を、管材から取り外すとともに、各板部材に分離すれば、この連設部は、嵩張らない。
【００１６】
また、請求項９に記載の発明に係る通水管の梱包装置のように、請求項５に記載の梱包装置において、前記第１の分割体と前記第２の分割体とは、ネジ部材によって接続されてもよい。こうして、二つの分割体が、ネジ部材によって接続されることで、この接続が確実となる。
【００１７】
また、請求項１０に記載の発明に係る通水管の梱包装置のように、請求項５ないし９のいずれか１項に記載の梱包装置において、前記第１の管材と前記第２の管材とは、その対向する端面が近接あるいは当接して設けられてもよい。これにより、第１の管材と第２の管材によって、両鍔材間のほぼ全長が占められることとなり、この軸部材の強度が増加する。
【００１８】
また、請求項１１に記載の発明に係る通水管の梱包装置のように、請求項１ないし１０のいずれか１項に記載の梱包装置において、前記軸部材は、紙製であるのが望ましい。これにより、この梱包装置を使用後に廃棄する場合に、軸部材が紙製であるため、その廃棄が容易となる。
【００１９】
また、請求項１２に記載の発明に係る通水管の梱包装置のように、請求項１ないし１１のいずれか１項に記載の梱包装置において、前記回動部材は、紙製であるのが望ましい。これにより、この梱包装置を使用後に廃棄する場合に、回動部材が紙製であるため、その廃棄が容易となる。
【００２０】
【発明の実施の形態】
以下、この発明に係る通水管の梱包装置の実施の形態を図面に基づいて説明する。
【００２１】
図１ないし図１０は、本発明に係る通水管の梱包装置の一実施の形態を示す。図中符号１は、例えば、配管材としての、架橋ポリエチレンあるいはポリブデン等の合成樹脂材料からなる、可撓性を備えた、給水管等の通水管である。２は、周回状に巻回された前記通水管１の管束１ａを梱包する梱包装置である。
【００２２】
この梱包装置２は、前記管束１ａをその管束１ａの周方向に回動可能に収容する、例えば紙製の段ボール箱体３を備える。この段ボール箱体３は、図１ないし図４に示すように、管束１ａの各側面１ｂ、１ｂと対向する二つの箱体側面３ａ、３ａと、管束１ａの外周面１ｃと対向してその外周面１ｃの四側方を覆う各箱体周面３ｂ、３ｂとからなる。詳細には、段ボール箱体３は、矩形形状の六面体、すなわち直六面体からなり、その六つの面が、二つの前記箱体側面３ａ、３ａと、四つの前記箱体周面３ｂ、３ｂとからなる。そして、箱体周面３ｂのいずれか一の周面Ｘには、通水管１を、その端部から順に外に引き出すための引出部３ｃが備わる。この引出部３ｃは、前記一の周面Ｘの、管束１ａの回動軸心Ｊに直交する方向における、一部分となる中央部分に設けられている。そして、図示実施の形態においては、引出部３ｃは、その引出部３ｃから手を挿入して通水管１の端部を掴み出すことが可能な大きさとなっている。ここで、この引出部３ｃには、その引出部３ｃを開閉する蓋３ｄが設けられている。また、前記一の周面Ｘの、引出部３ｃを除く部分を形成する壁、すなわち引出部３ｃを挟む両側部分を形成する壁は、閉じた状態が維持される閉鎖壁３ｅ、３ｅとなっている。
【００２３】
詳細には、段ボール箱体３における前記一の周面Ｘには、蓋３ｄおよび閉鎖壁３ｅ、３ｅを形成すべく、前記箱体側面３ａを形成する一方の側壁３ｆから延設されて折り曲げられる第１延設片３ｇと、前記箱体側面３ａを形成する他方の側壁３ｆから延設されて折り曲げられ第１延設片３ｇの外側に重なる第２延設片３ｈとが備わっている。そして、第１延設片３ｇは、前記他方の側壁３ｆにほぼ達するまで延びており、また、第２延設片３ｈは、前記一方の側壁３ｆにほぼ達するまで延びている。さらに、前記一の周面Ｘには、その一の周面Ｘに隣接する箱体周面３ｂを形成する周壁３ｉから若干延設されて折り曲げられ第１延設片３ｇの内側に重なる、第３延設片３ｊが備わっている。また、このとき、蓋３ｄと閉鎖壁３ｅとを区切るべく、第１延設片３ｇには、第１切込み３ｋ、３ｋが形成され、かつ、第２延設片３ｈには、第２切込み３ｍ、３ｍが形成されている。こうして、蓋３ｄは、第１延設片３ｇ側の第１蓋Ｌ１と、第２延設片３ｈ側の第２蓋Ｌ２とを備えるとともに、前記閉鎖壁３ｅは、第１延設片３ｇ側の第１閉鎖壁Ｗ１と、第２延設片３ｈ側の第２閉鎖壁Ｗ２とを備えることとなる。ここにおいて、第１切込み３ｋは、第２切込み３ｍよりも第２蓋Ｌ２側にずれた位置に設けられている。そして、図示実施の形態においては、閉鎖壁３ｅは、第１閉鎖壁Ｗ１および第２閉鎖壁Ｗ２に加えて、第３延設片３ｊによって形成されている。ところで、閉鎖壁３ｅは、第２閉鎖壁Ｗ２が一方の側壁３ｆに、粘着テープ等により接合されたり、第１閉鎖壁Ｗ１と第２閉鎖壁Ｗ２とが接着等により接合されたりして、閉じた状態が維持される。
【００２４】
また、段ボール箱体３には、蓋３ｄの閉状態および開状態を保持するための保持手段Ｈが設けられている。この保持手段Ｈは、クリップ４と側壁３ｆに形成された通孔部３ｎとからなる。具体的には、側壁３ｆには、蓋３ｄを閉状態に保持するために、第１蓋Ｌ１と第２蓋Ｌ２とを挟み込むクリップ４の一片４ａが通される前記通孔部３ｎが設けられている。つまり、閉状態となった蓋３ｄに対して、通孔部３ｎにクリップ４の一片４ａを通すことで、その一片４ａが第１蓋Ｌ１を内側から押さえ、そして、クリップ４の他片４ｂが、第２蓋Ｌ２を外側から押さえる。こうして、このクリップ４が、一方の側壁３ｆから延設された第１蓋Ｌ１と他方の側壁３ｆから延設された第２蓋Ｌ２とを挟み込むこととなり、蓋３ｄ（第１および第２蓋Ｌ１、Ｌ２）の閉状態が保持される（図３、図４参照）。一方、第１および第２蓋Ｌ１、Ｌ２を側壁３ｆ、３ｆから折り返して、開状態となった蓋３ｄに対して、クリップ４が、第１蓋Ｌ１（第２蓋Ｌ２）と側壁３ｆとを挟み込むことで、蓋３ｄ（第１および第２蓋Ｌ１、Ｌ２）の開状態が保持される（図１、図２参照）。なお、符号３ｐは、各側壁３ｆに明けられた貫通孔であり、この貫通孔３ｐに、後述する軸部材６が挿通される。
【００２５】
また、梱包装置２は、段ボール箱体３の他に、段ボール箱体３に収容されて、管束１ａを支える回動部材５と、回動部材５が管束１ａとともにその管束１ａの周方向に回動可能となるよう支持する軸部材６とを備えている。
【００２６】
ここで、回動部材５は、例えば紙製（詳細には、段ボール製）であって、段ボール箱体３における各側壁３ｆに隣接するとともに軸孔５ｆが明けられた側板部５ｃを備えている。詳細には、回動部材５は、図５および図６に示すように、二つの分割体５ａ、５ａにより構成されている。図示実施の形態においては、これら二つの分割体５ａ、５ａは、同一の形状および同一の寸法からなる。そして、各分割体５ａは、管束１ａの各側面１ｂが段ボール箱体３の内壁面と摺接するのを防止する摺接防止部５ｂを有する前記側板部５ｃと、その側板部５ｃから突設されて管束１ａの中央空間１ｄに挿入される挿入部５ｄとを備えている。そして、二つの分割体５ａ、５ａは、管束１ａの側面１ｂ、１ｂの各側から挿入部５ｄ、５ｄが対向して前記中央空間１ｄに挿入されて、挿入部５ｄ、５ｄ同士が互いに他の挿入部５ｄを補強し合うように嵌め合わされることにより、互いに組み付けられる。また、こうして、二つの分割体５ａ、５ａは、互いに組み付けられることで、管束１ａに取り付けられる。
【００２７】
具体的には、分割体５ａは、段ボール板からなる。すなわち、この段ボール板によって側板部５ｃが形成され、また、挿入部５ｄは、側板部５ｃから延設されるよう、段ボール板が切り起されるようにして形成されている（図６、図７参照）。詳細には、挿入部５ｄは、側板部５ｃから相対面して突設される一対の対面板Ｐ、Ｐからなる。そして、回動部材５の二つの分割体５ａ、５ａにおいて、一対の対面板Ｐ、Ｐが、互いに他の一対の対面板Ｐ、Ｐを補強し合うように井桁状に嵌め合わされることで、挿入部５ｄの挿入方向に直交する断面において、管束１ａの回動軸心Ｊ、すなわち回動部材５の回動軸心を囲むようにして閉鎖する枠体Ｙを形成している（図２参照）。また、二つの分割体５ａ、５ａの各挿入部５ｄ、５ｄには、互いに対応する位置にその挿入部５ｄの先端側から切り込まれたスリット５ｅ、５ｅが設けられている。そして、二つの分割体５ａ、５ａにおける挿入部５ｄ、５ｄは、両スリット５ｅ、５ｅ部分での嵌め合いにより掛かり合い、こうして、二つの分割体５ａ、５ａは、挿入部５ｄ、５ｄ同士が互いに他の挿入部５ｄを補強し合うように嵌め合わされる。なお、回動部材５（詳細には、分割体５ａ、５ａの側板部５ｃ、５ｃ）には、その回動軸心Ｊ部分に、前述の軸孔５ｆ、５ｆが明けられている。
【００２８】
軸部材６は、例えば紙製であって、図４に示すように、段ボール箱体３の前記側壁３ｆ、３ｆ、すなわち管束１ａの各側面１ｂ、１ｂと対向する側壁３ｆ、３ｆに、渡されるようにして取り付けられる。そして、軸部材６は、側壁３ｆ、３ｆに、固定されることなく取り付けられる。詳細には、軸部材６は、回動部材５に明けられた軸孔５ｆ、５ｆに挿通されるとともに、側壁３ｆ、３ｆ間が広がるのを防止すべく、両側壁３ｆ、３ｆに渡されるようにして取り付けられる。この軸部材６は、各側壁３ｆ、３ｆに明けられた貫通孔３ｐ、３ｐおよび前記軸孔５ｆ、５ｆに通される軸本体６ａと、その軸本体６ａの両端部分に設けられて側壁３ｆ、３ｆの外面と対向する鍔部６ｂ、６ｂとを備える。そして、軸本体６ａは、両鍔部６ｂ、６ｂが離間しないように、それら鍔部６ｂ、６ｂを保持する。
【００２９】
具体的には、軸部材６は、前記軸本体６ａと、前記鍔部６ｂ、６ｂが備わる板状の鍔材６ｈとからなる。ここで、軸本体６ａは、前記貫通孔３ｐ、３ｐおよび前記軸孔５ｆ、５ｆに、当接するようにして挿通される管材Ｋ、例えば板紙からなる円筒状の管材を有している。一方、鍔材６ｈは、例えば円盤状に形成されて、その周縁部分が、前記鍔部６ｂとなっている。そして、この鍔材６ｈが、管材Ｋの端面に接着等により固着している。
【００３０】
ところで、管材Ｋは、一方側の貫通孔３ｐおよび軸孔５ｆに通される第１の管材６ｃと、他方側の貫通孔３ｐおよび軸孔５ｆに通される第２の管材６ｄとからなる。そこで、軸部材６は、一方側の鍔材６ｈと第１の管材６ｃとが固着した第１の分割体６ｉと、他方側の鍔材６ｈと第２の管材６ｄとが固着した第２の分割体６ｊとを有して、それら分割体６ｉ、６ｊが互いに接続されてなる。図示実施の形態においては、第１の分割体６ｉは、第１の管材６ｃに嵌められて、例えば接着によって固定された連設部６ｅを有している。そして、その連設部６ｅが、第２の分割体６ｊにおける前記第２の管材６ｄに嵌められる。このとき、第１の分割体６ｉと第２の分割体６ｊとは、第１の分割体６ｉにおける連設部６ｅの端面に、第２の分割体６ｊにおける鍔材６ｈの裏面が接着されることで接続される。また、ここにおいて、第１の管材６ｃと第２の管材６ｄとは、その対向する端面が、近接あるいは当接して設けられている（図４参照）。
【００３１】
そして、図８および図９に示すように、連設部６ｅは、例えば段ボールからなる平板状の複数（図示実施の形態においては２枚）の板部材６ｆ、６ｆからなる。この板部材６ｆ、６ｆには、その縁部から切り込まれたスリット６ｇ、６ｇが設けられており、それら板部材６ｆ、６ｆは、互いのスリット６ｇ、６ｇ部分での嵌め合いにより掛かり合って組み付けられている。そして、この連設部６ｅは、前記スリット６ｇ、６ｇの方向が、第１および第２の管材６ｃ、６ｄの軸心方向と一致する向きで、それら第１および第２の管材６ｃ、６ｄに嵌められる。
【００３２】
なお、この梱包装置２は、通水管１を引き出すにあたって、縦置きにして（段ボール箱体３の側壁３ｆが縦になった状態で）用いられるが、このとき、図１に示すように、引出部３ｃが上方を向くようにして用いてもよく、また、図１０に示すように、引出部３ｃが横方向を向くようにして用いてもよい。そして、このように、梱包装置２が、縦置きで、かつ引出部３ｃが横方向を向く場合には、引出部３ｃが一の周面Ｘの中央部分に設けられることから、梱包装置２の上下を反転させることで、無理なく、通水管１を上方とか下方に引き出して配管することができる。したがって、この梱包装置２によって、状況に応じた配管が可能となる。
【００３３】
次に、以上の構成からなる梱包装置２の作用効果について説明する。この梱包装置２によると、段ボール箱体３に、周回状に巻回された合成樹脂材料からなる通水管１の管束１ａと、その管束１ａを支える回動部材５が収容される。そして、軸部材６が、段ボール箱体３における、管束１ａの各側面１ｂ、１ｂと対向する側壁３ｆ、３ｆに、渡されるようにして取り付けられる。この軸部材６は、回動部材５が管束１ａとともにその管束１ａの周方向に回動可能となるよう支持するものであり、こうして、段ボール箱体３に収容された管束１ａは、その管束１ａの周方向に回動可能となる。ところで、管束１ａとなった通水管１は、段ボール箱体３に収容されて、保管されたり運搬されたりする。そして、通水管１を配管する場合には、図１および図２、あるいは図１０に示すように、段ボール箱体３内の通水管１を、その端部から順に、段ボール箱体３に備わる引出部３ｃを通して、外に引き出すが、この引き出しに伴って、段ボール箱体３内の管束１ａが解かれるようにして回動する。ここで、軸部材６は、その軸本体６ａが、側壁３ｆ、３ｆの外面と対向する両鍔部６ｂ、６ｂが離間しないように、それら鍔部６ｂ、６ｂを保持している。こうして、離間することのない両鍔部６ｂ、６ｂが、段ボール箱体３の側壁３ｆ、３ｆを挟むこととなり、通水管１を引き出す力とか管束１ａの自重等が、段ボール箱体３に作用した場合であっても、側壁３ｆ、３ｆ間が広がって段ボール箱体３が変形するのを防止することができる。
【００３４】
このように、この梱包装置２によると、段ボール箱体３内の管束１ａとなった通水管１をその端部から順に外に引き出すと、回動部材５とともに、管束１ａが解かれるようにして回動する。したがって、通水管１が捩れることがなく、通水管１の巻き癖を取りながら引き出すことができ、通水管１の引き出し作業を簡単に行うことができる。しかも、軸部材６によって、通水管１が収容される段ボール箱体３の側壁３ｆ、３ｆ間が広がってその段ボール箱体３が変形するのを防止することができ、通水管１の引き出し作業を安定して行うことができる。そして、このようにして、段ボール箱体３から引き出された通水管１は、例えば、予め所定の配管経路に沿って配備された鞘管内に挿通されるようにして配管される。ここで、前述のように、通水管１の引き出し作業が安定して行なわれることから、この通水管１の配管作業が容易となる。
【００３５】
また、図示実施の形態においては、引出部３ｃは、管束１ａの外周面１ｃと対向する四つの箱体周面３ｂ、３ｂのいずれか一の周面Ｘの、前記管束１ａの回動軸心Ｊに直交する方向における中央部分に設けられている。したがって、通水管１は、管束１ａから離れて引出部３ｃに至る距離が短く、段ボール箱体３内に収容されている通水管１の端部を引出部３ｃから容易に取り出すことができる。そして、通水管１を、引出部３ｃを通して順次引き出したり、反対に押し戻す際には、通水管１が管束１ａから離れて引出部３ｃに至る距離が短いため、その間で通水管１が踊ったり撓んだりするのを防ぐことができる。さらに、引出部３ｃが、一の周面Ｘの中央部分に設けられることから、引出部３ｃから管束１ａまでの距離が短く、管束１ａを結束するバインド等の結束線（図示せず）を、引出部３ｃを通して簡単に切断することができる。また、段ボール箱体３における、引出部３ｃが備わる一の周面Ｘの、その引出部３ｃを挟む両側部分を形成する壁は、閉じた状態が維持される閉鎖壁３ｅ、３ｅとなっている。したがって、この閉鎖壁３ｅ、３ｅによって、側壁３ｆ、３ｆ間が広がるのが防止されて、段ボール箱体３の強度が保たれ、通水管１を引き出す力とか通水管１を押し戻す力とか管束１ａの自重等による段ボール箱体３の変形を防ぐことができる。
【００３６】
このように、この梱包装置２によると、引出部３ｃが、段ボール箱体３の一の周面Ｘの中央部分に設けられることから、通水管１の端部を引出部３ｃから容易に取り出すことができるとともに、段ボール箱体３内で、通水管１が踊ったり撓んだりするのを防ぐことができ、しかも、閉鎖壁３ｅ、３ｅによって、段ボール箱体３の変形を防ぐことができる。したがって、このことによっても、通水管１の引き出し作業とか押し戻し作業を安定して行うことができる。さらに、図示実施の形態においては、引出部３ｃが大きく形成されており、引出部３ｃから段ボール箱体３内に手を挿入してその段ボール箱体３内に収容されている通水管１の端部を掴み、その通水管１の端部を引出部３ｃから容易に取り出すことができる。
【００３７】
また、軸本体６ａは、管材Ｋ（詳細には、第１および第２の管材６ｃ、６ｄ）を有しており、その管材Ｋが、段ボール箱体３の貫通孔３ｐ、３ｐおよび回動部材５の軸孔５ｆ、５ｆに、当接するように挿通されることで、回動部材５は、円滑に回動する。
【００３８】
また、軸部材６は、第１の分割体６ｉと第２の分割体６ｊとからなるので、この軸部材６を、段ボール箱体３の側壁３ｆ、３ｆに取り付けるには、第１の分割体６ｉにおける第１の管材６ｃと第２の分割体６ｊにおける第２の管材６ｄとを、それぞれの側の貫通孔３ｐおよび軸孔５ｆに挿通し、そして、それら第１の分割体６ｉと第２の分割体６ｊを接続する。このように、軸部材６が、第１の分割体６ｉと第２の分割体６ｊとに分離されているので、それら分割体６ｉ、６ｊの管材６ｃ、６ｄを、それぞれの側の貫通孔３ｐおよび軸孔５ｆに挿通して接続することで、この軸部材６を段ボール箱体３の側壁３ｆ、３ｆに容易に取り付けることができる。また、図示実施の形態においては、第１の分割体６ｉは、連設部６ｅを有しており、この連設部６ｅが、第２の分割体６ｊにおける第２の管材６ｄに嵌められることで、これら第１の分割体６ｉと第２の分割体６ｊとが互いに接続される。このとき、連設部６ｅが第２の管材６ｄに嵌められることで、第１の分割体６ｉと第２の分割体６ｊとは、互いに位置決めされる。こうして、第２の管材６ｄに嵌められる連設部６ｅによって、第１の分割体６ｉと第２の分割体６ｊとを、互いに位置決めすることができ、その組付けが容易となる。
【００３９】
しかも、第１の管材６ｃと第２の管材６ｄとは、その対向する端面が近接あるいは当接して設けられているので、これら第１および第２の管材６ｃ、６ｄによって、両鍔材６ｈ、６ｈ間のほぼ全長が占められることとなる（図４参照）。こうして、この軸部材６の強度を増加させることができ、この軸部材６によって回動部材５を安定して支持することができる。
【００４０】
また、軸部材６は、段ボール箱体３の側壁３ｆ、３ｆに、固定されることなく取り付けられているため、段ボール箱体３から通水管１を全て引き出した後、この梱包装置２を廃棄する等の場合、すなわち、この梱包装置２を使用後に廃棄する等の場合に、段ボール箱体３から軸部材６を容易に取り除くことができる。しかも、第１の分割体６ｉと第２の分割体６ｊとは、第１の分割体６ｉの連設部６ｅの端面に、第２の分割体６ｊの鍔材６ｈの裏面が接着されることで接続されているので、第２の分割体６ｊにおいて、鍔材６ｈを、第２の管材６ｄの内径部分で切断することで、この軸部材６は、第１の分割体６ｉ側と、第２の分割体６ｊ側とに分離される。こうして、この梱包装置２を廃棄する等の場合に、段ボール箱体３から軸部材６を簡単に取り除くことができる。なお、鍔部６ｂあるいは鍔材６ｈには、ドライバー等の工具を掛けることができる掛り部としての切欠き６ｋ、６ｋが形成されている。したがって、この切欠き６ｋに前記工具を掛けて、第２の分割体６ｊ（第１の分割体６ｉ）あるいは鍔材６ｈを、第１の分割体６ｉ（第２の分割体６ｊ）側から剥ぎ取るようにしても、この軸部材６を段ボール箱体３から取り除くことができる。
【００４１】
そして、連設部６ｅにおける複数の板部材６ｆ、６ｆは、それら板部材６ｆ、６ｆに設けられたスリット６ｇ、６ｇ部分での嵌め合いにより掛かり合うことで、確実に組み付けられる。そして、この梱包装置２を使用後に廃棄する等の場合には、軸本体６ａにおいて、連設部６ｅを、管材６ｃ、６ｄから取り外すとともに、各板部材６ｆ、６ｆに分離すれば、この連設部６ｅは、嵩張ることがなく、コンパクトとなる。
【００４２】
その上、軸部材６が紙製であるため、この梱包装置２を使用後に廃棄する場合に、その軸部材６を容易に廃棄することができる。また、回動部材５においても、その回動部材５は、紙製（詳細には、段ボール製）であるため、この梱包装置２を使用後に廃棄する場合に、その回動部材５を容易に廃棄することができる。
【００４３】
また、段ボール箱体３における引出部３ｃには、その引出部３ｃを開閉する蓋３ｄ（詳細には、第１および第２蓋Ｌ１、Ｌ２）が設けられているので、通水管１を段ボール箱体３から引き出す際には、蓋３ｄを開状態とするが、通水管１が収容された梱包装置２を、保管したり運搬したりする際には、蓋３ｄを閉状態とすることで、段ボール箱体３内へのゴミ等の侵入を阻止することができる。しかも、第１延設片３ｇに形成された第１切込み３ｋと、第２延設片３ｈに形成された第２切込み３ｍとが、ずれた位置に設けられることから、蓋３ｄが閉状態のとき、すなわち、第１および第２蓋Ｌ１、Ｌ２が閉状態のときに、第１および第２切込み３ｋ、３ｍを通ってゴミ等が段ボール箱体３内に侵入することがなく、この段ボール箱体３内へのゴミ等の侵入を確実に阻止することができる。そして、第１切込み３ｋは、第２切込み３ｍよりも第２蓋Ｌ２側にずれた位置に設けられることから、第２蓋Ｌ２よりも内側に位置する第１蓋Ｌ１の開閉を、第２閉鎖壁Ｗ２に妨げられることなく行なうことができる。
【００４４】
そして、保持手段Ｈ（詳細には、クリップ４等）によって、蓋３ｄの閉状態（図３、図４参照）および開状態（図１、図２参照）が保持されることから、蓋３ｄが閉状態のときには、ゴミ等の侵入を一層確実に阻止することができる。また、蓋３ｄが開状態のときには、通水管１の引き出しを、この蓋３ｄに邪魔されることなく行なうことができる。
【００４５】
また、回動部材５は、二つの分割体５ａ、５ａが、それら分割体５ａ、５ａに設けられたスリット５ｅ、５ｅ部分での嵌め合いにより掛かり合うことで、確実に組み付けられる。
【００４６】
なお、本発明は、上述した実施の形態に限定されるわけではなく、その他種々の変更が可能である。例えば、軸部材６において、第１の分割体６ｉには、連設部６ｅが設けられているが、この連設部６ｅは無くてもよい。すなわち、第１の分割体６ｉと第２の分割体６ｊとが、管材６ｃ、６ｄの端面が合わさるようにして、あるいは管材６ｃ、６ｄ同士が嵌まり合うようにして、接着等により接続されてもよい。
【００４７】
また、軸部材６において、第１の管材６ｃと第２の管材６ｄとは、その対向する端面が、近接あるいは当接して設けられなくとも、図１１および図１２に示すように、離れて設けられてもよい。こうすることで、管材６ｃ、６ｄの長さを短くすることができる。そして、この梱包装置２を使用後に廃棄する場合には、軸本体６ａにおいては、管材６ｃ、６ｄを段ボール製の連設部６ｅから取り外せば、嵩張ることがなく、この軸本体６ａ、ひいては軸部材６を、容易に廃棄することができる。なお、この実施の形態においては、連設部６ｅは、５枚の板部材６ｆ、６ｆから構成されている。
【００４８】
また、軸部材６において、第１の分割体６ｉと第２の分割体６ｊとは、接着によって接続されなくとも、図１３に示すように、ネジ部材Ｓによって接続されてもよい。ここで、第１の分割体６ｉにおいて、一方側の鍔材６ｈと第１の管材６ｃとは、例えば樹脂成形により一体成形されることで固着している。さらに、第１の分割体６ｉは、鍔材６ｈと第１の管材６ｃの他に、第１の管材６ｃから延設される、カップ状の第１の延設部６ｍと、その第１の延設部６ｍの中央部分から第２の分割体６ｊに向かって延設された軸６ｎとを有している。そして、これら、鍔材６ｈ、第１の管材６ｃ、第１の延設部６ｍおよび軸６ｎが、例えば樹脂成形により一体成形される。一方、第２の分割体６ｊにおいても、他方側の鍔材６ｈと第２の管材６ｄとが、例えば樹脂成形により一体成形されることで固着している。さらに、第２の分割体６ｊは、鍔材６ｈと第２の管材６ｄの他に、第２の管材６ｄから延設される、カップ状の第２の延設部６ｐを有しており、これら、鍔材６ｈ、第２の管材６ｄおよび第２の延設部６ｐが、例えば樹脂成形により一体成形される。そして、第１の分割体６ｉと第２の分割体６ｊとは、軸６ｎの先端部分と第２の延設部６ｐの中央部分において、前記ネジ部材Ｓにより、接続される。ここで、第１の分割体６ｉと第２の分割体６ｊとは、軸６ｎの先端部分に設けられた凸部６ｑと第２延設部６ｐの中央部分に設けられた凹部６ｒによる嵌め合いによって互いに位置決めされる。そして、それら凸部６ｑと凹部６ｒの断面形状が例えば６角形に形成されることで、二つの分割体６ｉ、６ｊは、互いに回り止めされる。この軸部材６によると、二つの分割体６ｉ、６ｊが、ネジ部材Ｓによって接続されることで、これら二つの分割体６ｉ、６ｊを確実に接続することができる。しかも、第１の分割体６ｉと第２の分割体６ｊとは、凸部６ｑと凹部６ｒによる嵌め合いによって、互いに位置決めされ、かつ、互いに回り止めされるので、これら分割体６ｉ、６ｊの組付けが容易に行なわれる。なお、この実施の形態においては、二つの分割体６ｉ、６ｊ、すなわち軸部材６は、例えば合成樹脂製であり、このように、軸部材６は、紙製でなくとも、合成樹脂製等、その他の材料からなっていてもよい。
【００４９】
また、軸部材６は、段ボール箱体３（詳細には、側壁３ｆ、３ｆ）に固定されることなく取り付けられているが、勿論、固定されるようにして取り付けられても構わない。
【００５０】
また、軸部材６における管材Ｋ（詳細には、第１および第２の管材６ｃ、６ｄ）は、円筒状となっていなくとも、多角形状等のその他の形状であってもよい。また、この管材Ｋは、第１の管材６ｃと第２の管材６ｄとからなるが、一つの管材からなっていてもよい。そして、この場合には、一つの管材の両端に、鍔材６ｈ、６ｈが接着等により固着される。
【００５１】
また、回動部材５は、紙製でなくとも、合成樹脂製等、その他の材料からなっていてもよい。
【００５２】
また、段ボール箱体３において、引出部３ｃは、箱体周面３ｂ、３ｂの一の周面Ｘの、管束１ａの回動軸心Ｊに直交する方向における中央部分に設けられなくとも、管束１ａの回動軸心Ｊに直交する方向における一部分、例えば側方部分に設けられてもよい。そして、引出部３ｃは、その引出部３ｃから手を挿入して通水管１の端部を掴み出すことが可能な大きさとなっていなくとも、通水管１を引き出すことができるのであれば、それ以下の大きさであってもよい。
【００５３】
また、箱体周面３ｂは、全体に渡って平面となっていなくとも、隣接する箱体周面３ｂと交わるコーナー部がアール状に湾曲していてもよく、また、全体が曲面となっていてもよく、さらには、凹凸状、例えば波打つように形成された面であってもよい。また、箱体周面３ｂは、屈曲して形成される複数の面からなっていてもよい。すなわち、各箱体周面３ｂ、３ｂによって形成される全周面からなる枠形状は、四角形となっていなくとも、四角以外の多角形となっていてもよい。また、箱体周面３ｂは、段ボール箱体３において、例えば、載置側、すなわち下面側となる一つの箱体周面３ｂが、平面となり、他の箱体周面３ｂが曲面となるように、必ずしも全てが同じ形状となっていなくともよい。
【００５４】
また、引出部３ｃには、その引出部３ｃを開閉する蓋３ｄが設けられているが、この蓋３ｄは無くともよい。
【００５５】
また、蓋３ｄを閉状態および開状態に保持するための保持手段Ｈとして、クリップ４が用いられるが、このクリップ４の代わりに、例えば、蓋３ｄと側壁３ｆに、止め部を設け、それら止め部間に紐等の掛渡し材を掛け渡すようにしてもよい。
【００５６】
また、この梱包装置２は、通水管１を引き出すにあたって、縦置きにして（段ボール箱体３の側壁３ｆが縦になった状態で）用いてもよいが、横置きにして（段ボール箱体３の側壁３ｆが横になった状態で）用いても勿論よい。
【００５７】
ところで、この梱包装置２の構造は、通水管１の管束１ａを梱包する、通水管１の梱包装置に適用されるが、その他に、通水管１を含み広く配管材の管束を梱包する、配管材の梱包装置に適用されてもよい。すなわち、この配管材の梱包装置により、配管材を梱包するとともに、配管材をその端部から順に外に引き出すことができる。さらに、この構造は、配管材に限らず、配線材（ケーブル）を含むことで、周回状に巻回された配線・配管材の巻回束を梱包する、配線・配管材の梱包装置に適用されてもよい。すなわち、この配線・配管材の梱包装置により、配線・配管材を梱包するとともに、配線・配管材をその端部から順に外に引き出すことができる。
【００５８】
【発明の効果】
以上、詳述したところから明らかなように、この発明に係る通水管の梱包装置によれば、次の効果がある。
【００５９】
請求項１に記載された通水管の梱包装置によれば、段ボール箱体内の管束となった通水管をその端部から順に外に引き出すと、管束が解かれるようにして回動し、通水管が捩れることがなく、通水管の巻き癖を取りながら引き出すことができるので、通水管の引き出し作業を簡単に行うことができる。しかも、軸部材によって、通水管が収容される段ボール箱体の側壁間が広がってその段ボール箱体が変形するのを防止することができ、通水管の引き出し作業を安定して行うことができる。
【００６０】
また、請求項２に記載された通水管の梱包装置によれば、加えて、軸部材が側壁に固定されることなく取り付けられているので、この梱包装置を使用後に廃棄する等の場合に、段ボール箱体から軸部材を容易に取り除くことができる。
【００６１】
また、請求項３または４に記載された通水管の梱包装置によれば、加えて、段ボール箱体の貫通孔および回動部材の軸孔に、当接するように挿通される管材によって、回動部材を円滑に回動させることができる。
【００６２】
また、請求項５に記載された通水管の梱包装置によれば、加えて、軸部材が、第１の分割体と第２の分割体とに分離されているので、それら分割体の管材を、それぞれの側の貫通孔および軸孔に挿通して接続することで、この軸部材を段ボール箱体の側壁に容易に取り付けることができる。
【００６３】
また、請求項６に記載された通水管の梱包装置によれば、加えて、第２の管材に嵌められる連設部によって、第１の分割体と第２の分割体とを、互いに位置決めすることができ、その組付けが容易となる。
【００６４】
また、請求項７に記載された通水管の梱包装置によれば、加えて、この梱包装置を使用後に廃棄する等の場合に、第２の分割体において、鍔材を、管材の内径部分で切断することで、段ボール箱体から軸部材を簡単に取り除くことができる。
【００６５】
また、請求項８に記載された通水管の梱包装置によれば、加えて、軸部材の連設部において、複数の板部材が、それら板部材に設けられたスリット部分での嵌め合いにより掛かり合うことで、それら板部材を確実に組み付けることができる。そして、この梱包装置を使用後に廃棄する等の場合には、軸本体における連設部を各板部材に分離することで、この連設部をコンパクトにすることができる。
【００６６】
また、請求項９に記載された通水管の梱包装置によれば、加えて、ネジ部材によって、二つの分割体を確実に接続することができる。
【００６７】
また、請求項１０に記載された通水管の梱包装置によれば、加えて、軸部材における第１の管材と第２の管材によって、両鍔材間のほぼ全長が占められるので、この軸部材の強度を増加させることができ、この軸部材によって回動部材を安定して支持することができる。
【００６８】
また、請求項１１に記載された通水管の梱包装置によれば、加えて、この梱包装置を使用後に廃棄する場合に、軸部材が紙製であるため、その軸部材を容易に廃棄することができる。
【００６９】
また、請求項１２に記載された通水管の梱包装置によれば、加えて、この梱包装置を使用後に廃棄する場合に、回動部材が紙製であるため、その回動部材を容易に廃棄することができる。
【図面の簡単な説明】
【図１】この発明に係る通水管の梱包装置の一実施の形態の、蓋を開状態としたときの斜視図である。
【図２】同じく、図１におけるＡ−Ａ線による断面図である。
【図３】同じく、蓋を閉状態としたときの斜視図である。
【図４】同じく、図３におけるＢ−Ｂ線による断面図である。
【図５】同じく、回動部材の斜視図である。
【図６】同じく、回動部材の分解斜視図である。
【図７】同じく、回動部材における、分割体の展開図である。
【図８】同じく、軸部材が、第１の分割体と第２の分割体とに分離された状態を示す斜視図である。
【図９】同じく、軸部材の分解斜視図である。
【図１０】同じく、梱包装置の姿勢を変えた例を示す、図１相当図である。
【図１１】この発明に係る通水管の梱包装置の他の実施の形態の、軸部材が、第１の分割体と第２の分割体とに分離された状態を示す斜視図である。
【図１２】同じく、軸部材の分解斜視図である。
【図１３】この発明に係る通水管の梱包装置のさらに他の実施の形態の、要部拡大断面図である。
【符号の説明】
１  通水管                        １ａ  管束
２  梱包装置                      ３  段ボール箱体
３ｃ  引出部                      ３ｆ  側壁
３ｐ  貫通孔                      ５  回動部材
５ｃ  側板部                      ５ｆ  軸孔
６  軸部材                        ６ａ  軸本体
６ｂ  鍔部                        ６ｃ  第１の管材
６ｄ  第２の管材                  ６ｅ  連設部
６ｆ  板部材                      ６ｇ  スリット
６ｈ  鍔材                        ６ｉ  第１の分割体
６ｊ  第２の分割体
Ｋ  管材                          Ｓ  ネジ部材
【図１】
2004217279.tif 000003
【図２】
2004217279.tif 000004
【図３】
2004217279.tif 000005
【図４】
2004217279.tif 000006
【図５】
2004217279.tif 000007
【図６】
2004217279.tif 000008
【図７】
2004217279.tif 000009
【図８】
2004217279.tif 000010
【図９】
2004217279.tif 000011
【図１０】
2004217279.tif 000012
【図１１】
2004217279.tif 000013
【図１２】
2004217279.tif 000014
【図１３】
2004217279.tif 000015